(57)【要約】【課題】本発明は便利式の分け瓶を開示した。【解決手段】瓶体を含み、本装置は、ヘアカラーに対する色を調和する機能を実現でき、理髪師によって色を調和するという伝統的な方式における低効率と望ましくない仕上がりを克服できる上に、顔料の濃度も調節できることにより、本装置の実用性と適用性を高めてなっている。本装置は機械駆動を通じて、より高い安定性と効率を実現でき、ヘアカラーの色を調和して仕事がよくできてなっている。【選択図】図１
2020175077.tif 000002
【特許請求の範囲】
【請求項１】
瓶体を含めて、前記瓶体の中には左右が対称的に貯料倉が設けられ、前記貯料倉には絞り装置が設置され、前記絞り装置は絞り板を含み、前記絞りは、前記絞り板を通じてヘアカラーを搾り、左右両端の前記貯料倉の左右両端の壁にはそれぞれ外部と通じる気圧安定槽が対称的に設けられ、前記貯料倉  の上壁にＬ字型ロッド滑り槽を設置し、二つの前記Ｌ字型ロッド滑り槽のうち前記気圧安定槽の端に近接する端壁には転換槽を設置し、二つの前記転換槽のうち前記気圧安定槽に近接する端壁には前記気圧安定槽と相通した移動ブロック槽が設けられ、二つの前記貯料倉のうち前記気圧安定槽からから離れている端壁には通槽を設置し、前記通槽の下端壁にそれぞれ調節チャンバが設置され  、前記調節チャンバには調節装置を設置し、前記調節装置が前記調節ブロックを含め、前記調節装置が前記調節ブロックの上下の移動を通じて、ヘアカラーの出量をコントロールし、二つの前記通槽の間に昇降槽を設置し、前記昇降槽の中で搾り装置を設置し、前記搾り装置  が螺旋器を含め、前記搾り装置が前記螺旋器の上下の移動と回転を通じて、違う色のヘアカラーを調和と押し出し、前記昇降槽の右端壁に大きな歯車槽が設置され、前記大きな歯車槽の右端壁に駆動チャンバを設置し、前記駆動チャンバの上端壁に調節チャンバが設けられ、前記調節チャンバの左の壁に前記混ぜチャンバと相通した短い滑り槽が設置され、前記短い滑り槽の左端壁にリミット槽が設置されることを特徴とする便利式の分け瓶。
【請求項２】
絞り装置は左右に対称のように二つ設置され、右の前記絞り装置を例にして説明すれば、前記絞り装置はＬ字型ロッドを含め、前記Ｌ字型ロッドが前記Ｌ字型ロッド滑り槽とスライドできるように係合接続され、前記Ｌ字型ロッドの下端が前記絞り板と固定的に接続され、前記Ｌ字型ロッドの右端面に接続ロッドを設置し、前記接続ロッドの上端面にはプッシュブロック滑り槽が設置され、前記プッシュブロック滑り槽の中にはプッシュブロックがスライドできるように係合接続され、前記プッシュブロック滑り槽の右端壁壁に縄槽が設置され、前記縄槽の右端壁に固定ブロック滑り槽が設置され、前記固定ブロック滑り槽には固定ブロックがスライドできるように接続され、前記固定ブロックと前記プッシュブロックとの間にロープが接続され、前記転換槽の上端壁に梯形ブロック滑り溝を設置し、前記梯形ブロック滑り溝の中には梯形ブロックがスライドできるように設けられ、前記梯形ブロックと前記梯形ブロック滑り溝との間に梯形ブロックスプリングが接続され、前記梯形ブロックが前記プッシュブロックと当接でき、前記移動ブロック槽の中には移動ブロックがスライドできるように係合接続され、前記移動ブロックの左端面にスプリング槽を設置し、前記接続ロッドと前記スプリング槽とがスライドできるように接続され、前記接続ロッドと前記スプリング槽との間に長いスプリングが接続され、前記スプリング槽の右端壁に固定ブロックスロットが設置され、前記固定ブロックが前記固定ブロックスロットとスライドできるように接続され、前記移動ブロックの下端面にマットを設置し、前記Ｌ字型ロッドが下に移動し、これにより前記移動ブロックが下に運動し、前記気圧安定槽を封じ、前記Ｌ字型ロッドが下に運動を続け、この時前記貯料倉の中の気圧が定常であり、前記絞り板が下に運動してヘアカラーを前記貯料倉から押し出し、前記絞り板が一番底端まで運動して到着する時、前記固定ブロックが前記固定ブロックスロットの中に入って固定され、前記Ｌ字型ロッドと前記絞り板が上に運動する際に、前記気圧安定槽が開き、前記移動ブロックが最も上端まで運動して到着する時、前記梯形ブロックが前記プッシュブロックを左へ突き、これにより更に前記固定ブロックが前記固定ブロックスロットから離脱し、ヘアカラーを押し出す役割を果たすことを特徴とする請求項１に記載の便利式の分け瓶。
【請求項３】
前記調節装置は回転つまみを含め、  前記回転つまみが前記瓶体の下端面とスライドできるように係合接続され、前記回転つまみの上端面に前記親ねじを設置し、前記親ねじが上に伸びており前記調節チャンバの中にに入り、前記親ねじが前記調節チャンバの下端壁及び前記瓶体の下端面と回転できるように係合接続され、前記親ねじの上端と前記調節ブロックとがねじ山によって係合接続され、前記回転つまみを回し、これにより前記親ねじによって前記調節ブロックの上下の高さを調節し、これにより前記通槽の開口の大きさを調節し、ヘアカラーの排出量を調節する役割を果たすことを特徴とする請求項１に記載の便利式の分け瓶。
【請求項４】
前記絞り装置は押圧ヘッドを含み、前記押圧ヘッドと前記Ｌ字型ロッドとが固定的に接続され、前記押圧ヘッドの中には下方に開口したヘアカラー排出チャンバを設置し、前記ヘアカラー排出チャンバの右端に排出ヘッドを設置し、前記ヘアカラー排出チャンバの左端にリミットブロックを設置し、前記リミットブロックと前記限位槽とがスライドできるように接続され、前記リミットブロックと前記限位槽との間にはリミットスプリングが接続され、前記ヘアカラー排出チャンバの上端壁には縦軸が回転できるように係合接続され、前記縦軸の上端に縦軸ギアを設置し、前記縦軸はの中端が前記螺旋器と固定的に接続され、前記縦軸の下端にはリターンスプリングリターンブロックが回転できるように係合接続され、前記リターンスプリングリターンブロックと前記昇降槽とがスライドできるように接続され、前記リターンスプリングリターンブロックと前記昇降槽との間にはリターンスプリングが接続され、前記調節チャンバ前後端壁にはラチェット軸が回転できるように係合接続され、前記ラチェット軸の後端にはラチェット回転盤が設置され、前記ラチェット回転盤に固定針が設置され、前記ラチェット回転盤の外円にラチェットギアが設置され、前記ラチェットギアが前記押圧ヘッドと噛合し、前記押圧ヘッドが下へ運動する場合、前記ラチェットギアによって前記ラチェット回転盤を駆動して回転させることができなく、逆であればできることであり、前記ラチェット軸の先端にラチェット軸傘歯車を設置し、前記調節チャンバ  の下端壁にストップブロックが設置され、前記調節チャンバの上端壁に支えブロック  が設置され、前記支えブロックの中には接続軸が回転できるように接続され、前記接続軸の左端には前記ラチェット軸傘歯車と噛み合う回転傘歯車が設置され、前記接続軸歯の右端には接続傘歯車が設置され、前記調節チャンバの上端壁及び前記駆動チャンバの下端壁には大きなギア軸が回転できるように係合接続され、前記大きなギア軸には前記接続傘歯車と噛み合った駆動傘歯車を設置し、前記大きなギア軸の下端には前記縦軸ギアと噛み合った大きなギアを設置し、その作用は、前記リターンスプリングリターンブロックの下への移動によってヘアカラーを上に押し、前記螺旋器の回転を通じて、ヘアカラーを上昇させると同時に混ぜ合わせることを特徴とする請求項１に記載の便利式の分け瓶。
【発明の詳細な説明】
【技術分野】
【０００１】
本発明は個人ケアに関し、具体的には便利式の分け瓶である。
【背景技術】
【０００２】
現在、人々は個人のイメージを重視するにつれ、理髪・美容業の発展も広く、ヘアカラーはよく使うものとして、一般的にそれは色と種類が単一で、人々が実際の状況にしたがって、染色剤に色を混ぜて、一般の場合は、理髪師が手で混ぜて、この方法は、効率が低下するだけでなく、また色の濃度が正確に調整できないので、一つの非常に便利な色を調整できる分け瓶の必要がある。
【先行技術文献】
【特許文献】
【０００３】
【特許文献１】中国特許出願公開第１０３９３５５７７号明細書
【発明の概要】
【発明が解決しようとする課題】
【０００４】
本発明の目的は便利式の分け瓶を提供し、既存の技術にある上記の欠陥を補うことにある。
【課題を解決するための手段】
【０００５】
便利式の分け瓶は、瓶体を含めて、前記瓶体の中には左右が対称的に貯料倉が設けられ、前記貯料倉には絞り装置が設置され、前記絞り装置は絞り板を含み、前記絞りは、前記絞り板を通じてヘアカラーを搾り、左右両端の前記貯料倉の左右両端の壁にはそれぞれ外部と通じる気圧安定槽が対称的に設けられ、前記貯料倉  の上壁にＬ字型ロッド滑り槽を設置し、二つの前記Ｌ字型ロッド滑り槽のうち前記気圧安定槽の端に近接する端壁には転換槽を設置し、二つの前記転換槽のうち前記気圧安定槽に近接する端壁には前記気圧安定槽と相通した移動ブロック槽が設けられ、二つの前記貯料倉のうち前記気圧安定槽からから離れている端壁には通槽を設置し、前記通槽の下端壁にそれぞれ調節チャンバが設置され  、前記調節チャンバには調節装置を設置し、前記調節装置が前記調節ブロックを含め、前記調節装置が前記調節ブロックの上下の移動を通じて、ヘアカラーの出量をコントロールし、二つの前記通槽の間に昇降槽を設置し、前記昇降槽の中で搾り装置を設置し、前記搾り装置  が螺旋器を含め、前記搾り装置が前記螺旋器の上下の移動と回転を通じて、違う色のヘアカラーを調和と押し出し、前記昇降槽の右端壁に大きな歯車槽が設置され、前記大きな歯車槽の右端壁に駆動チャンバを設置し、前記駆動チャンバの上端壁に調節チャンバが設けられ、前記調節チャンバの左の壁に前記混ぜチャンバと相通した短い滑り槽が設置され、前記短い滑り槽の左端壁にリミット槽が設置される。
【０００６】
さらなる技術プラントして、絞り装置は左右に対称のように二つ設置され、右の前記絞り装置を例にして説明すれば、前記絞り装置は  Ｌ字型ロッドを含め、前記Ｌ字型ロッドが前記Ｌ字型ロッド滑り槽とスライドできるように係合接続され、前記Ｌ字型ロッドの下端が前記絞り板と固定的に接続され、前記Ｌ字型ロッドの右端面に接続ロッドを設置し、前記接続ロッドの上端面にはプッシュブロック滑り槽が設置され、前記プッシュブロック滑り槽の中にはプッシュブロックがスライドできるように係合接続され、前記プッシュブロック滑り槽の右端壁壁に縄槽が設置され、前記縄槽の右端壁に固定ブロック滑り槽が設置され、前記固定ブロック滑り槽には固定ブロックがスライドできるように接続され、前記固定ブロックと前記プッシュブロックとの間にロープが接続され、前記転換槽の上端壁に梯形ブロック滑り溝を設置し、前記梯形ブロック滑り溝の中には梯形ブロックがスライドできるように設けられ、前記梯形ブロックと前記梯形ブロック滑り溝との間に梯形ブロックスプリングが接続され、前記梯形ブロックが前記プッシュブロックと当接でき、前記移動ブロック槽の中には移動ブロックがスライドできるように係合接続され、前記移動ブロックの左端面にスプリング槽を設置し、前記接続ロッドと前記スプリング槽とがスライドできるように接続され、前記接続ロッドと前記スプリング槽との間に長いスプリングが接続され、前記スプリング槽の右端壁に固定ブロックスロットが設置され、前記固定ブロックが前記固定ブロックスロットとスライドできるように接続され、前記移動ブロックの下端面にマットを設置し、前記Ｌ字型ロッドが下に移動し、これにより前記移動ブロックが下に運動し、前記気圧安定槽を封じ、前記Ｌ字型ロッドが下に運動を続け、この時前記貯料倉の中の気圧が定常であり、前記絞り板が下に運動してヘアカラーを前記貯料倉から押し出し、前記絞り板が一番底端まで運動して到着する時、前記固定ブロックが前記固定ブロックスロットの中に入って固定され、前記Ｌ字型ロッドと前記絞り板が上に運動する際に、前記気圧安定槽が開き、前記移動ブロックが最も上端まで運動して到着する時、前記梯形ブロックが前記プッシュブロックを左へ突き、これにより更に前記固定ブロックが前記固定ブロックスロットから離脱し、ヘアカラーを押し出す役割を果たす。
【０００７】
さらなる技術プラントして、前記調節装置は回転つまみを含め、  前記回転つまみが前記瓶体の下端面とスライドできるように係合接続され、前記回転つまみの上端面に前記親ねじを設置し、前記親ねじが上に伸びており前記調節チャンバの中にに入り、前記親ねじが前記調節チャンバの下端壁及び前記瓶体の下端面と回転できるように係合接続され、前記親ねじの上端と前記調節ブロックとがねじ山によって係合接続され、前記回転つまみを回し、これにより前記親ねじによって前記調節ブロックの上下の高さを調節し、これにより前記通槽の開口の大きさを調節し、ヘアカラーの排出量を調節する役割を果たす。
【０００８】
さらなる技術プラントして、前記絞り装置は押圧ヘッドを含み、前記押圧ヘッドと前記Ｌ字型ロッドとが固定的に接続され、前記押圧ヘッドの中には下方に開口したヘアカラー排出チャンバを設置し、前記ヘアカラー排出チャンバの右端に排出ヘッドを設置し、前記ヘアカラー排出チャンバの左端にリミットブロックを設置し、前記リミットブロックと前記限位槽とがスライドできるように接続され、前記リミットブロックと前記限位槽との間にはリミットスプリングが接続され、前記ヘアカラー排出チャンバの上端壁には縦軸が回転できるように係合接続され、前記縦軸の上端に縦軸ギアを設置し、前記縦軸はの中端が前記螺旋器と固定的に接続され、前記縦軸の下端にはリターンスプリングリターンブロックが回転できるように係合接続され、前記リターンスプリングリターンブロックと前記昇降槽とがスライドできるように接続され、前記リターンスプリングリターンブロックと前記昇降槽との間にはリターンスプリングが接続され、前記調節チャンバ前後端壁にはラチェット軸が回転できるように係合接続され、前記ラチェット軸の後端にはラチェット回転盤が設置され、前記ラチェット回転盤に固定針が設置され、前記ラチェット回転盤の外円にラチェットギアが設置され、前記ラチェットギアが前記押圧ヘッドと噛合し、前記押圧ヘッドが下へ運動する場合、前記ラチェットギアによって前記ラチェット回転盤を駆動して回転させることができなく、逆であればできることであり、前記ラチェット軸の先端にラチェット軸傘歯車を設置し、前記調節チャンバ  の下端壁にストップブロックが設置され、前記調節チャンバの上端壁に支えブロック  が設置され、前記支えブロックの中には接続軸が回転できるように接続され、前記接続軸の左端には前記ラチェット軸傘歯車と噛み合う回転傘歯車が設置され、前記接続軸歯の右端には接続傘歯車が設置され、前記調節チャンバの上端壁及び前記駆動チャンバの下端壁には大きなギア軸が回転できるように係合接続され、前記大きなギア軸には前記接続傘歯車と噛み合った駆動傘歯車を設置し、前記大きなギア軸の下端には前記縦軸ギアと噛み合った大きなギアを設置し、その作用は、前記リターンスプリングリターンブロックの下への移動によってヘアカラーを上に押し、前記螺旋器の回転を通じて、ヘアカラーを上昇させると同時に混ぜ合わせる。
【発明の効果】
【０００９】
本発明の有益効果は：本装置は、ヘアカラーに対する色を調和する機能を実現でき、理髪師によって色を調和するという伝統的な方式における低効率と望ましくない仕上がりを克服できる上に、顔料の濃度も調節できることにより、本装置の実用性と適用性を高める。本装置は機械駆動を通じて、より高い安定性と効率を実現し、ヘアカラーの色を調和して仕事がよくできる。
【図面の簡単な説明】
【００１０】
【図１】図１は本発明の便利式の分け瓶の全体断面の正面構造概略図
【図２】図２は図１におけるＡの局部拡大図
【図３】図３は図１におけるＢの局部拡大図
【図４】図４は図２におけるＣ―Ｃの局部拡大図
【図５】図５は図３におけるＤの局部拡大図
【発明を実施するための形態】
【００１１】
下記に図１〜５を合わせて本発明について詳しく説明する。意思疎通の便利を図って、下記に記載の上下左右前後方向は図１の投影関係の上下左右前後方向と一致している。
【００１２】
図１〜５を参照して、本発明が提供した一つの実施案例：便利式の分け瓶は、瓶体１００を含めて、前記瓶体１００の中には左右が対称的に貯料倉５４が設けられ、前記貯料倉５４には絞り装置１０１が設置され、前記絞り装置１０１は絞り板２１を含み、前記絞り１０１は、前記絞り板２１を通じてヘアカラーを搾り、左右両端の前記貯料倉５４の左右両端の壁にはそれぞれ外部と通じる気圧安定槽５５が対称的に設けられ、前記貯料倉５４  の上壁にＬ字型ロッド滑り槽４４を設置し、二つの前記Ｌ字型ロッド滑り槽４４のうち前記気圧安定槽５５の端に近接する端壁には転換槽７５を設置し、二つの前記転換槽７５のうち前記気圧安定槽５５に近接する端壁には前記気圧安定槽５５と相通した移動ブロック槽７６が設けられ、二つの前記貯料倉５４のうち前記気圧安定槽から５５から離れている端壁には通槽４７を設置し、前記通槽４７の下端壁にそれぞれ調節チャンバ４９が設置され  、前記調節チャンバ４９には調節装置１０２を設置し、前記調節装置１０２が前記調節ブロック５１を含め、前記調節装置１０２が前記調節ブロック５１の上下の移動を通じて、ヘアカラーの出量をコントロールし、二つの前記通槽４７の間に昇降槽５２を設置し、前記昇降槽５２の中で搾り装置１０３を設置し、前記搾り装置  １０３が螺旋器５３を含め、前記搾り装置１０３が前記螺旋器５３の上下の移動と回転を通じて、違う色のヘアカラーを調和と押し出し、前記昇降槽５２の右端壁に大きな歯車槽６３が設置され、前記大きな歯車槽６３の右端壁に駆動チャンバ６４を設置し、前記駆動チャンバ６４の上端壁に調節チャンバ７７が設けられ、前記調節チャンバ７７の左の壁に前記混ぜチャンバ６２と相通した短い滑り槽６０が設置され、前記短い滑り槽６０の左端壁にリミット槽５９が設置される。
【００１３】
有益的に、絞り装置１０１は左右に対称のように二つ設置され、右の前記絞り装置を例にして説明すれば、前記絞り装置１０１は  Ｌ字型ロッド２２を含め、前記Ｌ字型ロッド２２が前記Ｌ字型ロッド滑り槽４４とスライドできるように係合接続され、前記Ｌ字型ロッド２２の下端が前記絞り板２１と固定的に接続され、前記Ｌ字型ロッド２２の右端面に接続ロッド２７を設置し、前記接続ロッド２７の上端面にはプッシュブロック滑り槽２８が設置され、前記プッシュブロック滑り槽２８の中にはプッシュブロック２９がスライドできるように係合接続され、前記プッシュブロック滑り槽２８の右端壁壁に縄槽３７が設置され、前記縄槽３７の右端壁に固定ブロック滑り槽３４が設置され、前記固定ブロック滑り槽３４には固定ブロック３５がスライドできるように接続され、前記固定ブロック３５と前記プッシュブロック２９との間にロープ３８が接続され、前記転換槽７５の上端壁に梯形ブロック滑り溝３０を設置し、前記梯形ブロック滑り溝３０の中には梯形ブロック３２がスライドできるように設けられ、前記梯形ブロック３２と前記梯形ブロック滑り溝３０との間に梯形ブロックスプリング３１が接続され、前記梯形ブロック３２が前記プッシュブロック２９と当接でき、前記移動ブロック槽７６の中には移動ブロック４０がスライドできるように係合接続され、前記移動ブロック４０の左端面にスプリング槽４３を設置し、前記接続ロッド２７と前記スプリング槽４３とがスライドできるように接続され、前記接続ロッド２７と前記スプリング槽４３との間に長いスプリング４１が接続され、前記スプリング槽４３の右端壁に固定ブロックスロット３９が設置され、前記固定ブロック３５が前記固定ブロックスロット３９とスライドできるように接続され、前記移動ブロック４０の下端面にマット４２を設置し、前記Ｌ字型ロッド２２が下に移動し、これにより前記移動ブロック４０が下に運動し、前記気圧安定槽５５を封じ、前記Ｌ字型ロッド２２が下に運動を続け、この時前記貯料倉５４の中の気圧が定常であり、前記絞り板２１が下に運動してヘアカラーを前記貯料倉５４から押し出し、前記絞り板２１が一番底端まで運動して到着する時、前記固定ブロック３５が前記固定ブロックスロット３９の中に入って固定され、前記Ｌ字型ロッド２２と前記絞り板２１が上に運動する際に、前記気圧安定槽５５が開き、前記移動ブロック４０が最も上端まで運動して到着する時、前記梯形ブロック３２が前記プッシュブロック２９を左へ突き、これにより更に前記固定ブロック３５が前記固定ブロックスロット３９から離脱し、ヘアカラーを押し出す役割を果たす。
【００１４】
前記調節装置１０２は回転つまみ４８を含め、  前記回転つまみ４８が前記瓶体１００の下端面とスライドできるように係合接続され、前記回転つまみ４８の上端面に前記親ねじ５０を設置し、前記親ねじ５０が上に伸びており前記調節チャンバ４９の中にに入り、前記親ねじ５０が前記調節チャンバ４９の下端壁及び前記瓶体１００の下端面と回転できるように係合接続され、前記親ねじ５０の上端と前記調節ブロック５１とがねじ山によって係合接続され、前記回転つまみ４８を回し、これにより前記親ねじ５０によって前記調節ブロック５１の上下の高さを調節し、これにより前記通槽４７の開口の大きさを調節し、ヘアカラーの排出量を調節する役割を果たす。
【００１５】
有益に、前記絞り装置１０１は押圧ヘッド２３を含み、前記押圧ヘッド２３と前記Ｌ字型ロッド２２とが固定的に接続され、前記押圧ヘッド２３の中には下方に開口したヘアカラー排出チャンバ２４を設置し、前記ヘアカラー排出チャンバ２４の右端に排出ヘッド２６を設置し、前記ヘアカラー排出チャンバ２４の左端にリミットブロック５６を設置し、前記リミットブロック５６と前記限位槽５９とがスライドできるように接続され、前記リミットブロック５６と前記限位槽５９との間にはリミットスプリング５８が接続され、前記ヘアカラー排出チャンバ２４の上端壁には縦軸２５が回転できるように係合接続され、前記縦軸２５の上端に縦軸ギア６１を設置し、前記縦軸は２５の中端が前記螺旋器５３と固定的に接続され、前記縦軸２５の下端にはリターンスプリングリターンブロック４６が回転できるように係合接続され、前記リターンスプリングリターンブロック４６と前記昇降槽５２とがスライドできるように接続され、前記リターンスプリングリターンブロック４６と前記昇降槽５２との間にはリターンスプリング４５が接続され、前記調節チャンバ７７前後端壁にはラチェット軸７１が回転できるように係合接続され、前記ラチェット軸７１の後端にはラチェット回転盤７３が設置され、前記ラチェット回転盤７３に固定針５７が設置され、前記ラチェット回転盤７３の外円にラチェットギア７４が設置され、前記ラチェットギア７４が前記押圧ヘッド２３と噛合し、前記押圧ヘッド２３が下へ運動する場合、前記ラチェットギア７４によって前記ラチェット回転盤７３を駆動して回転させることができなく、逆であればできることであり、前記ラチェット軸７１の先端にラチェット軸傘歯車７２を設置し、前記調節チャンバ  ７７の下端壁にストップブロック７８が設置され、前記調節チャンバ７７の上端壁に支えブロック６９  が設置され、前記支えブロック６９の中には接続軸６６が回転できるように接続され、前記接続軸６６の左端には前記ラチェット軸傘歯車７２と噛み合う回転傘歯車７０が設置され、前記接続軸６６歯の右端には接続傘歯車６７が設置され、前記調節チャンバ７７の上端壁及び前記駆動チャンバ６４の下端壁には大きなギア軸６５が回転できるように係合接続され、前記大きなギア軸６５には前記接続傘歯車６７と噛み合った駆動傘歯車６８を設置し、前記大きなギア軸６５の下端には前記縦軸ギア６１と噛み合った大きなギア３３を設置し、その作用は、前記リターンスプリングリターンブロック４６の下への移動によってヘアカラーを上に押し、前記螺旋器５３の回転を通じて、ヘアカラーを上昇させると同時に混ぜ合わせる。
【００１６】
下記に、付図１〜２及び前記便利式の分け瓶の具体的な構成を参照して、本願発明の便利式の分け瓶の使用方法を詳しく紹介する：まず、初期状態の時、気圧安定槽５５を通じて、左の貯料倉５４に黄いヘアカラーを加入し、右の貯料倉５４に黒いヘアカラーを加入する。
【００１７】
使う時は、まず、回転つまみ４８を回し、これにより親ねじ５０を通じて調節ブロック５１の上下の高さを調節し、これにより左右の通槽４７の開口の大きさを調節し、そして押圧ヘッド２３下に押し、これによりＬ字型  ロッド２２が下に移動し、これにより移動ブロック４０が下に運動して気圧安定槽５５を密封し、  Ｌ字型ロッド２２が下に運動を続け、この時貯料倉５４の中の気圧が定常であり、絞り板２１が下に運動してヘアカラーを貯料倉５４から押し出し、絞り板２１が最も底端まで運動して到着するとき、固定ブロック３５が固定ブロックスロット３９の中で引っかかられ、Ｌ字型ロッド２２と絞り板２１が上に運動する時に気圧安定槽５５が開き、移動ブロック４０が最も上端に移動して到着する時に、跳ね返った梯形ブロック３２がプッシュブロック２９を左へ突き、これにより固定ブロック３５が固定ブロックスロット３９から離脱し、押圧ヘッド２３が下に移動するとリターンスプリングリターンブロック４６が最も下端に移動し、これによりヘアカラーがリターンスプリングリターンブロック４６の上端面に移動し、そしてリターンスプリングリターンブロック４６と押圧ヘッド２３が上に運動すると、押圧ヘッド２３がラチェットギア７４と、ラチェット回転盤７３と、ラチェット軸傘歯車７２と、ラチェット軸７１と、回転傘歯車７０と、接続軸６６と、駆動傘歯車６８と、大きなギア軸６５と、大きなギア３３と、縦軸ギア６１と螺旋器５３とを回転駆動させ、顔料を均一に撹拌し、そして排出ヘッド２６から押し出す。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175077.tif 000003
【図２】
2020175077.tif 000004
【図３】
2020175077.tif 000005
【図４】
2020175077.tif 000006
【図５】
2020175077.tif 000007
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
瓶体を含めて、前記瓶体の中には左右が対称的に貯料倉が設けられ、前記貯料倉には絞り装置が設置され、前記絞り装置は絞り板を含み、前記絞りは、前記絞り板を通じてヘアカラーを搾り、左右両端の前記貯料倉の左右両端の壁にはそれぞれ外部と通じる気圧安定槽が対称的に設けられ、前記貯料倉  の上壁にＬ字型ロッド滑り槽を設置し、二つの前記Ｌ字型ロッド滑り槽のうち前記気圧安定槽の端に近接する端壁には転換槽を設置し、二つの前記転換槽のうち前記気圧安定槽に近接する端壁には前記気圧安定槽と相通した移動ブロック槽が設けられ、二つの前記貯料倉のうち前記気圧安定槽からから離れている端壁には通槽を設置し、前記通槽の下端壁にそれぞれ調節チャンバが設置され  、前記調節チャンバには調節装置を設置し、前記調節装置が調節ブロックを含め、前記調節装置が前記調節ブロックの上下の移動を通じて、ヘアカラーの出量をコントロールし、二つの前記通槽の間に昇降槽を設置し、前記昇降槽の中で搾り装置を設置し、前記搾り装置  が螺旋器を含め、前記搾り装置が前記螺旋器の上下の移動と回転を通じて、違う色のヘアカラーを調和と押し出し、前記昇降槽の右端壁に大きな歯車槽が設置され、前記大きな歯車槽の右端壁に駆動チャンバを設置し、前記駆動チャンバの上端壁に調節チャンバが設けられ、前記調節チャンバの左の壁に前記昇降溝と相通した短い滑り槽が設置され、前記短い滑り槽の左端壁にリミット槽が設置され、
絞り装置は左右に対称のように二つ設置され、右の前記絞り装置を例にして説明すれば、前記絞り装置はＬ字型ロッドを含め、前記Ｌ字型ロッドが前記Ｌ字型ロッド滑り槽とスライドできるように係合接続され、前記Ｌ字型ロッドの下端が前記絞り板と固定的に接続され、前記Ｌ字型ロッドの右端面に接続ロッドを設置し、前記接続ロッドの上端面にはプッシュブロック滑り槽が設置され、前記プッシュブロック滑り槽の中にはプッシュブロックがスライドできるように係合接続され、前記プッシュブロック滑り槽の右端壁壁に縄槽が設置され、前記縄槽の右端壁に固定ブロック滑り槽が設置され、前記固定ブロック滑り槽には固定ブロックがスライドできるように接続され、前記固定ブロックと前記プッシュブロックとの間にロープが接続され、前記転換槽の上端壁に梯形ブロック滑り溝を設置し、前記梯形ブロック滑り溝の中には梯形ブロックがスライドできるように設けられ、前記梯形ブロックと前記梯形ブロック滑り溝との間に梯形ブロックスプリングが接続され、前記梯形ブロックが前記プッシュブロックと当接でき、前記移動ブロック槽の中には移動ブロックがスライドできるように係合接続され、前記移動ブロックの左端面にスプリング槽を設置し、前記接続ロッドと前記スプリング槽とがスライドできるように接続され、前記接続ロッドと前記スプリング槽との間に長いスプリングが接続され、前記スプリング槽の右端壁に固定ブロックスロットが設置され、前記固定ブロックが前記固定ブロックスロットとスライドできるように接続され、前記移動ブロックの下端面にマットを設置し、前記Ｌ字型ロッドが下に移動し、これにより前記移動ブロックが下に運動し、前記気圧安定槽を封じ、前記Ｌ字型ロッドが下に運動を続け、この時前記貯料倉の中の気圧が定常であり、前記絞り板が下に運動してヘアカラーを前記貯料倉から押し出し、前記絞り板が一番底端まで運動して到着する時、前記固定ブロックが前記固定ブロックスロットの中に入って固定され、前記Ｌ字型ロッドと前記絞り板が上に運動する際に、前記気圧安定槽が開き、前記移動ブロックが最も上端まで運動して到着する時、前記梯形ブロックが前記プッシュブロックを左へ突き、これにより更に前記固定ブロックが前記固定ブロックスロットから離脱し、ヘアカラーを押し出す役割を果し、
前記調節装置は回転つまみを含め、  前記回転つまみが前記瓶体の下端面とスライドできるように係合接続され、前記回転つまみの上端面に前記親ねじを設置し、前記親ねじが上に伸びており前記調節チャンバの中にに入り、前記親ねじが前記調節チャンバの下端壁及び前記瓶体の下端面と回転できるように係合接続され、前記親ねじの上端と前記調節ブロックとがねじ山によって係合接続され、前記回転つまみを回し、これにより前記親ねじによって前記調節ブロックの上下の高さを調節し、これにより前記通槽の開口の大きさを調節し、ヘアカラーの排出量を調節する役割を果し、
前記絞り装置は押圧ヘッドを含み、前記押圧ヘッドと前記Ｌ字型ロッドとが固定的に接続され、前記押圧ヘッドの中には下方に開口したヘアカラー排出チャンバを設置し、前記ヘアカラー排出チャンバの右端に排出ヘッドを設置し、前記ヘアカラー排出チャンバの左端にリミットブロックを設置し、前記リミットブロックと前記リミット槽とがスライドできるように接続され、前記リミットブロックと前記リミット槽との間にはリミットスプリングが接続され、前記ヘアカラー排出チャンバの上端壁には縦軸が回転できるように係合接続され、前記縦軸の上端に縦軸ギアを設置し、前記縦軸はの中端が前記螺旋器と固定的に接続され、前記縦軸の下端にはリターンスプリングリターンブロックが回転できるように係合接続され、前記リターンスプリングリターンブロックと前記昇降槽とがスライドできるように接続され、前記リターンスプリングリターンブロックと前記昇降槽との間にはリターンスプリングが接続され、前記調節チャンバ前後端壁にはラチェット軸が回転できるように係合接続され、前記ラチェット軸の後端にはラチェット回転盤が設置され、前記ラチェット回転盤に固定針が設置され、前記ラチェット回転盤の外円にラチェットギアが設置され、前記ラチェットギアが前記押圧ヘッドと噛合し、前記押圧ヘッドが下へ運動する場合、前記ラチェットギアによって前記ラチェット回転盤を駆動して回転させることができなく、逆であればできることであり、前記ラチェット軸の先端にラチェット軸傘歯車を設置し、前記調節チャンバ  の下端壁にストップブロックが設置され、前記調節チャンバの上端壁に支えブロック  が設置され、前記支えブロックの中には接続軸が回転できるように接続され、前記接続軸の左端には前記ラチェット軸傘歯車と噛み合う回転傘歯車が設置され、前記接続軸歯の右端には接続傘歯車が設置され、前記調節チャンバの上端壁及び前記駆動チャンバの下端壁には大きなギア軸が回転できるように係合接続され、前記大きなギア軸には前記接続傘歯車と噛み合った駆動傘歯車を設置し、前記大きなギア軸の下端には前記縦軸ギアと噛み合った大きなギアを設置し、その作用は、前記リターンスプリングリターンブロックの下への移動によってヘアカラーを上に押し、前記螺旋器の回転を通じて、ヘアカラーを上昇させると同時に混ぜ合わせることを特徴とする便利式の分け瓶。
【手続補正２】
【補正対象書類名】明細書
【補正対象項目名】全文
【補正方法】変更
【補正の内容】
【発明の詳細な説明】
【技術分野】
【０００１】
本発明は個人ケアに関し、具体的には便利式の分け瓶である。
【背景技術】
【０００２】
現在、人々は個人のイメージを重視するにつれ、理髪・美容業の発展も広く、ヘアカラーはよく使うものとして、一般的にそれは色と種類が単一で、人々が実際の状況にしたがって、染色剤に色を混ぜて、一般の場合は、理髪師が手で混ぜて、この方法は、効率が低下するだけでなく、また色の濃度が正確に調整できないので、一つの非常に便利な色を調整できる分け瓶の必要がある。
【先行技術文献】
【特許文献】
【０００３】
【特許文献１】中国特許出願公開第１０３９３５５７７号明細書
【発明の概要】
【発明が解決しようとする課題】
【０００４】
本発明の目的は便利式の分け瓶を提供し、既存の技術にある上記の欠陥を補うことにある。
【課題を解決するための手段】
【０００５】
便利式の分け瓶は、瓶体を含めて、前記瓶体の中には左右が対称的に貯料倉が設けられ、前記貯料倉には絞り装置が設置され、前記絞り装置は絞り板を含み、前記絞りは、前記絞り板を通じてヘアカラーを搾り、左右両端の前記貯料倉の左右両端の壁にはそれぞれ外部と通じる気圧安定槽が対称的に設けられ、前記貯料倉  の上壁にＬ字型ロッド滑り槽を設置し、二つの前記Ｌ字型ロッド滑り槽のうち前記気圧安定槽の端に近接する端壁には転換槽を設置し、二つの前記転換槽のうち前記気圧安定槽に近接する端壁には前記気圧安定槽と相通した移動ブロック槽が設けられ、二つの前記貯料倉のうち前記気圧安定槽からから離れている端壁には通槽を設置し、前記通槽の下端壁にそれぞれ調節チャンバが設置され  、前記調節チャンバには調節装置を設置し、前記調節装置が調節ブロックを含め、前記調節装置が前記調節ブロックの上下の移動を通じて、ヘアカラーの出量をコントロールし、二つの前記通槽の間に昇降槽を設置し、前記昇降槽の中で搾り装置を設置し、前記搾り装置  が螺旋器を含め、前記搾り装置が前記螺旋器の上下の移動と回転を通じて、違う色のヘアカラーを調和と押し出し、前記昇降槽の右端壁に大きな歯車槽が設置され、前記大きな歯車槽の右端壁に駆動チャンバを設置し、前記駆動チャンバの上端壁に調節チャンバが設けられ、前記調節チャンバの左の壁に前記昇降溝と相通した短い滑り槽が設置され、前記短い滑り槽の左端壁にリミット槽が設置される。
【０００６】
さらなる技術プラントして、絞り装置は左右に対称のように二つ設置され、右の前記絞り装置を例にして説明すれば、前記絞り装置は  Ｌ字型ロッドを含め、前記Ｌ字型ロッドが前記Ｌ字型ロッド滑り槽とスライドできるように係合接続され、前記Ｌ字型ロッドの下端が前記絞り板と固定的に接続され、前記Ｌ字型ロッドの右端面に接続ロッドを設置し、前記接続ロッドの上端面にはプッシュブロック滑り槽が設置され、前記プッシュブロック滑り槽の中にはプッシュブロックがスライドできるように係合接続され、前記プッシュブロック滑り槽の右端壁壁に縄槽が設置され、前記縄槽の右端壁に固定ブロック滑り槽が設置され、前記固定ブロック滑り槽には固定ブロックがスライドできるように接続され、前記固定ブロックと前記プッシュブロックとの間にロープが接続され、前記転換槽の上端壁に梯形ブロック滑り溝を設置し、前記梯形ブロック滑り溝の中には梯形ブロックがスライドできるように設けられ、前記梯形ブロックと前記梯形ブロック滑り溝との間に梯形ブロックスプリングが接続され、前記梯形ブロックが前記プッシュブロックと当接でき、前記移動ブロック槽の中には移動ブロックがスライドできるように係合接続され、前記移動ブロックの左端面にスプリング槽を設置し、前記接続ロッドと前記スプリング槽とがスライドできるように接続され、前記接続ロッドと前記スプリング槽との間に長いスプリングが接続され、前記スプリング槽の右端壁に固定ブロックスロットが設置され、前記固定ブロックが前記固定ブロックスロットとスライドできるように接続され、前記移動ブロックの下端面にマットを設置し、前記Ｌ字型ロッドが下に移動し、これにより前記移動ブロックが下に運動し、前記気圧安定槽を封じ、前記Ｌ字型ロッドが下に運動を続け、この時前記貯料倉の中の気圧が定常であり、前記絞り板が下に運動してヘアカラーを前記貯料倉から押し出し、前記絞り板が一番底端まで運動して到着する時、前記固定ブロックが前記固定ブロックスロットの中に入って固定され、前記Ｌ字型ロッドと前記絞り板が上に運動する際に、前記気圧安定槽が開き、前記移動ブロックが最も上端まで運動して到着する時、前記梯形ブロックが前記プッシュブロックを左へ突き、これにより更に前記固定ブロックが前記固定ブロックスロットから離脱し、ヘアカラーを押し出す役割を果たす。
【０００７】
さらなる技術プラントして、前記調節装置は回転つまみを含め、  前記回転つまみが前記瓶体の下端面とスライドできるように係合接続され、前記回転つまみの上端面に前記親ねじを設置し、前記親ねじが上に伸びており前記調節チャンバの中にに入り、前記親ねじが前記調節チャンバの下端壁及び前記瓶体の下端面と回転できるように係合接続され、前記親ねじの上端と前記調節ブロックとがねじ山によって係合接続され、前記回転つまみを回し、これにより前記親ねじによって前記調節ブロックの上下の高さを調節し、これにより前記通槽の開口の大きさを調節し、ヘアカラーの排出量を調節する役割を果たす。
【０００８】
さらなる技術プラントして、前記絞り装置は押圧ヘッドを含み、前記押圧ヘッドと前記Ｌ字型ロッドとが固定的に接続され、前記押圧ヘッドの中には下方に開口したヘアカラー排出チャンバを設置し、前記ヘアカラー排出チャンバの右端に排出ヘッドを設置し、前記ヘアカラー排出チャンバの左端にリミットブロックを設置し、前記リミットブロックと前記リミット槽とがスライドできるように接続され、前記リミットブロックと前記リミット槽との間にはリミットスプリングが接続され、前記ヘアカラー排出チャンバの上端壁には縦軸が回転できるように係合接続され、前記縦軸の上端に縦軸ギアを設置し、前記縦軸はの中端が前記螺旋器と固定的に接続され、前記縦軸の下端にはリターンスプリングリターンブロックが回転できるように係合接続され、前記リターンスプリングリターンブロックと前記昇降槽とがスライドできるように接続され、前記リターンスプリングリターンブロックと前記昇降槽との間にはリターンスプリングが接続され、前記調節チャンバ前後端壁にはラチェット軸が回転できるように係合接続され、前記ラチェット軸の後端にはラチェット回転盤が設置され、前記ラチェット回転盤に固定針が設置され、前記ラチェット回転盤の外円にラチェットギアが設置され、前記ラチェットギアが前記押圧ヘッドと噛合し、前記押圧ヘッドが下へ運動する場合、前記ラチェットギアによって前記ラチェット回転盤を駆動して回転させることができなく、逆であればできることであり、前記ラチェット軸の先端にラチェット軸傘歯車を設置し、前記調節チャンバ  の下端壁にストップブロックが設置され、前記調節チャンバの上端壁に支えブロック  が設置され、前記支えブロックの中には接続軸が回転できるように接続され、前記接続軸の左端には前記ラチェット軸傘歯車と噛み合う回転傘歯車が設置され、前記接続軸歯の右端には接続傘歯車が設置され、前記調節チャンバの上端壁及び前記駆動チャンバの下端壁には大きなギア軸が回転できるように係合接続され、前記大きなギア軸には前記接続傘歯車と噛み合った駆動傘歯車を設置し、前記大きなギア軸の下端には前記縦軸ギアと噛み合った大きなギアを設置し、その作用は、前記リターンスプリングリターンブロックの下への移動によってヘアカラーを上に押し、前記螺旋器の回転を通じて、ヘアカラーを上昇させると同時に混ぜ合わせる。
【発明の効果】
【０００９】
本発明の有益効果は：本装置は、ヘアカラーに対する色を調和する機能を実現でき、理髪師によって色を調和するという伝統的な方式における低効率と望ましくない仕上がりを克服できる上に、顔料の濃度も調節できることにより、本装置の実用性と適用性を高める。本装置は機械駆動を通じて、より高い安定性と効率を実現し、ヘアカラーの色を調和して仕事がよくできる。
【図面の簡単な説明】
【００１０】
【図１】図１は本発明の便利式の分け瓶の全体断面の正面構造概略図
【図２】図２は図１におけるＡの局部拡大図
【図３】図３は図１におけるＢの局部拡大図
【図４】図４は図２におけるＣ―Ｃの局部拡大図
【図５】図５は図３におけるＤの局部拡大図
【発明を実施するための形態】
【００１１】
下記に図１〜５を合わせて本発明について詳しく説明する。意思疎通の便利を図って、下記に記載の上下左右前後方向は図１の投影関係の上下左右前後方向と一致している。
【００１２】
図１〜５を参照して、本発明が提供した一つの実施案例：便利式の分け瓶は、瓶体１００を含めて、前記瓶体１００の中には左右が対称的に貯料倉５４が設けられ、前記貯料倉５４には絞り装置１０１が設置され、前記絞り装置１０１は絞り板２１を含み、前記絞り１０１は、前記絞り板２１を通じてヘアカラーを搾り、左右両端の前記貯料倉５４の左右両端の壁にはそれぞれ外部と通じる気圧安定槽５５が対称的に設けられ、前記貯料倉５４  の上壁にＬ字型ロッド滑り槽４４を設置し、二つの前記Ｌ字型ロッド滑り槽４４のうち前記気圧安定槽５５の端に近接する端壁には転換槽７５を設置し、二つの前記転換槽７５のうち前記気圧安定槽５５に近接する端壁には前記気圧安定槽５５と相通した移動ブロック槽７６が設けられ、二つの前記貯料倉５４のうち前記気圧安定槽から５５から離れている端壁には通槽４７を設置し、前記通槽４７の下端壁にそれぞれ調節チャンバ４９が設置され  、前記調節チャンバ４９には調節装置１０２を設置し、前記調節装置１０２が調節ブロック５１を含め、前記調節装置１０２が前記調節ブロック５１の上下の移動を通じて、ヘアカラーの出量をコントロールし、二つの前記通槽４７の間に昇降槽５２を設置し、前記昇降槽５２の中で搾り装置１０３を設置し、前記搾り装置１０３が螺旋器５３を含め、前記搾り装置１０３が前記螺旋器５３の上下の移動と回転を通じて、違う色のヘアカラーを調和と押し出し、前記昇降槽５２の右端壁に大きな歯車槽６３が設置され、前記大きな歯車槽６３の右端壁に駆動チャンバ６４を設置し、前記駆動チャンバ６４の上端壁に調節チャンバ７７が設けられ、前記調節チャンバ７７の左の壁に前記昇降溝５２と相通した短い滑り槽６０が設置され、前記短い滑り槽６０の左端壁にリミット槽５９が設置される。
【００１３】
有益的に、絞り装置１０１は左右に対称のように二つ設置され、右の前記絞り装置を例にして説明すれば、前記絞り装置１０１は  Ｌ字型ロッド２２を含め、前記Ｌ字型ロッド２２が前記Ｌ字型ロッド滑り槽４４とスライドできるように係合接続され、前記Ｌ字型ロッド２２の下端が前記絞り板２１と固定的に接続され、前記Ｌ字型ロッド２２の右端面に接続ロッド２７を設置し、前記接続ロッド２７の上端面にはプッシュブロック滑り槽２８が設置され、前記プッシュブロック滑り槽２８の中にはプッシュブロック２９がスライドできるように係合接続され、前記プッシュブロック滑り槽２８の右端壁壁に縄槽３７が設置され、前記縄槽３７の右端壁に固定ブロック滑り槽３４が設置され、前記固定ブロック滑り槽３４には固定ブロック３５がスライドできるように接続され、前記固定ブロック３５と前記プッシュブロック２９との間にロープ３８が接続され、前記転換槽７５の上端壁に梯形ブロック滑り溝３０を設置し、前記梯形ブロック滑り溝３０の中には梯形ブロック３２がスライドできるように設けられ、前記梯形ブロック３２と前記梯形ブロック滑り溝３０との間に梯形ブロックスプリング３１が接続され、前記梯形ブロック３２が前記プッシュブロック２９と当接でき、前記移動ブロック槽７６の中には移動ブロック４０がスライドできるように係合接続され、前記移動ブロック４０の左端面にスプリング槽４３を設置し、前記接続ロッド２７と前記スプリング槽４３とがスライドできるように接続され、前記接続ロッド２７と前記スプリング槽４３との間に長いスプリング４１が接続され、前記スプリング槽４３の右端壁に固定ブロックスロット３９が設置され、前記固定ブロック３５が前記固定ブロックスロット３９とスライドできるように接続され、前記移動ブロック４０の下端面にマット４２を設置し、前記Ｌ字型ロッド２２が下に移動し、これにより前記移動ブロック４０が下に運動し、前記気圧安定槽５５を封じ、前記Ｌ字型ロッド２２が下に運動を続け、この時前記貯料倉５４の中の気圧が定常であり、前記絞り板２１が下に運動してヘアカラーを前記貯料倉５４から押し出し、前記絞り板２１が一番底端まで運動して到着する時、前記固定ブロック３５が前記固定ブロックスロット３９の中に入って固定され、前記Ｌ字型ロッド２２と前記絞り板２１が上に運動する際に、前記気圧安定槽５５が開き、前記移動ブロック４０が最も上端まで運動して到着する時、前記梯形ブロック３２が前記プッシュブロック２９を左へ突き、これにより更に前記固定ブロック３５が前記固定ブロックスロット３９から離脱し、ヘアカラーを押し出す役割を果たす。
【００１４】
前記調節装置１０２は回転つまみ４８を含め、  前記回転つまみ４８が前記瓶体１００の下端面とスライドできるように係合接続され、前記回転つまみ４８の上端面に前記親ねじ５０を設置し、前記親ねじ５０が上に伸びており前記調節チャンバ４９の中にに入り、前記親ねじ５０が前記調節チャンバ４９の下端壁及び前記瓶体１００の下端面と回転できるように係合接続され、前記親ねじ５０の上端と前記調節ブロック５１とがねじ山によって係合接続され、前記回転つまみ４８を回し、これにより前記親ねじ５０によって前記調節ブロック５１の上下の高さを調節し、これにより前記通槽４７の開口の大きさを調節し、ヘアカラーの排出量を調節する役割を果たす。
【００１５】
有益に、前記絞り装置１０１は押圧ヘッド２３を含み、前記押圧ヘッド２３と前記Ｌ字型ロッド２２とが固定的に接続され、前記押圧ヘッド２３の中には下方に開口したヘアカラー排出チャンバ２４を設置し、前記ヘアカラー排出チャンバ２４の右端に排出ヘッド２６を設置し、前記ヘアカラー排出チャンバ２４の左端にリミットブロック５６を設置し、前記リミットブロック５６と前記リミット槽５９とがスライドできるように接続され、前記リミットブロック５６と前記リミット槽５９との間にはリミットスプリング５８が接続され、前記ヘアカラー排出チャンバ２４の上端壁には縦軸２５が回転できるように係合接続され、前記縦軸２５の上端に縦軸ギア６１を設置し、前記縦軸は２５の中端が前記螺旋器５３と固定的に接続され、前記縦軸２５の下端にはリターンスプリングリターンブロック４６が回転できるように係合接続され、前記リターンスプリングリターンブロック４６と前記昇降槽５２とがスライドできるように接続され、前記リターンスプリングリターンブロック４６と前記昇降槽５２との間にはリターンスプリング４５が接続され、前記調節チャンバ７７前後端壁にはラチェット軸７１が回転できるように係合接続され、前記ラチェット軸７１の後端にはラチェット回転盤７３が設置され、前記ラチェット回転盤７３に固定針５７が設置され、前記ラチェット回転盤７３の外円にラチェットギア７４が設置され、前記ラチェットギア７４が前記押圧ヘッド２３と噛合し、前記押圧ヘッド２３が下へ運動する場合、前記ラチェットギア７４によって前記ラチェット回転盤７３を駆動して回転させることができなく、逆であればできることであり、前記ラチェット軸７１の先端にラチェット軸傘歯車７２を設置し、前記調節チャンバ  ７７の下端壁にストップブロック７８が設置され、前記調節チャンバ７７の上端壁に支えブロック６９  が設置され、前記支えブロック６９の中には接続軸６６が回転できるように接続され、前記接続軸６６の左端には前記ラチェット軸傘歯車７２と噛み合う回転傘歯車７０が設置され、前記接続軸６６歯の右端には接続傘歯車６７が設置され、前記調節チャンバ７７の上端壁及び前記駆動チャンバ６４の下端壁には大きなギア軸６５が回転できるように係合接続され、前記大きなギア軸６５には前記接続傘歯車６７と噛み合った駆動傘歯車６８を設置し、前記大きなギア軸６５の下端には前記縦軸ギア６１と噛み合った大きなギア３３を設置し、その作用は、前記リターンスプリングリターンブロック４６の下への移動によってヘアカラーを上に押し、前記螺旋器５３の回転を通じて、ヘアカラーを上昇させると同時に混ぜ合わせる。
【００１６】
下記に、付図１〜２及び前記便利式の分け瓶の具体的な構成を参照して、本願発明の便利式の分け瓶の使用方法を詳しく紹介する：まず、初期状態の時、気圧安定槽５５を通じて、左の貯料倉５４に黄いヘアカラーを加入し、右の貯料倉５４に黒いヘアカラーを加入する。
【００１７】
使う時は、まず、回転つまみ４８を回し、これにより親ねじ５０を通じて調節ブロック５１の上下の高さを調節し、これにより左右の通槽４７の開口の大きさを調節し、そして押圧ヘッド２３下に押し、これによりＬ字型  ロッド２２が下に移動し、これにより移動ブロック４０が下に運動して気圧安定槽５５を密封し、  Ｌ字型ロッド２２が下に運動を続け、この時貯料倉５４の中の気圧が定常であり、絞り板２１が下に運動してヘアカラーを貯料倉５４から押し出し、絞り板２１が最も底端まで運動して到着するとき、固定ブロック３５が固定ブロックスロット３９の中で引っかかられ、Ｌ字型ロッド２２と絞り板２１が上に運動する時に気圧安定槽５５が開き、移動ブロック４０が最も上端に移動して到着する時に、跳ね返った梯形ブロック３２がプッシュブロック２９を左へ突き、これにより固定ブロック３５が固定ブロックスロット３９から離脱し、押圧ヘッド２３が下に移動するとリターンスプリングリターンブロック４６が最も下端に移動し、これによりヘアカラーがリターンスプリングリターンブロック４６の上端面に移動し、そしてリターンスプリングリターンブロック４６と押圧ヘッド２３が上に運動すると、押圧ヘッド２３がラチェットギア７４と、ラチェット回転盤７３と、ラチェット軸傘歯車７２と、ラチェット軸７１と、回転傘歯車７０と、接続軸６６と、駆動傘歯車６８と、大きなギア軸６５と、大きなギア３３と、縦軸ギア６１と螺旋器５３とを回転駆動させ、顔料を均一に撹拌し、そして排出ヘッド２６から押し出す。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図２
【補正方法】変更
【補正の内容】
【図２】
2020175077.tif 000008
【手続補正４】
【補正対象書類名】図面
【補正対象項目名】図４
【補正方法】変更
【補正の内容】
【図４】
2020175077.tif 000009
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
瓶体を含めて、前記瓶体の中には左右が対称的に貯料倉が設けられ、前記貯料倉には絞り装置が設置され、前記絞り装置は絞り板を含み、前記絞りは、前記絞り板を通じてヘアカラーを搾り、左右両端の前記貯料倉の左右両端の壁にはそれぞれ外部と通じる気圧安定槽が対称的に設けられ、前記貯料倉の上壁にＬ字型ロッド滑り槽を設置し、二つの前記Ｌ字型ロッド滑り槽のうち前記気圧安定槽の端に近接する端壁には転換槽を設置し、二つの前記転換槽のうち前記気圧安定槽に近接する端壁には前記気圧安定槽と相通した移動ブロック槽が設けられ、二つの前記貯料倉のうち前記気圧安定槽からから離れている端壁には通槽を設置し、前記通槽の下端壁にそれぞれ調節チャンバが設置され、前記調節チャンバには調節装置を設置し、前記調節装置が調節ブロックを含め、前記調節装置が前記調節ブロックの上下の移動を通じて、ヘアカラーの出量をコントロールし、二つの前記通槽の間に昇降槽を設置し、前記昇降槽の中で搾り装置を設置し、前記搾り装置が螺旋器を含め、前記搾り装置が前記螺旋器の上下の移動と回転を通じて、違う色のヘアカラーを調和と押し出し、前記昇降槽の右端壁に大きな歯車槽が設置され、前記大きな歯車槽の右端壁に駆動チャンバを設置し、前記駆動チャンバの上端壁に調節チャンバが設けられ、前記調節チャンバの左の壁に前記昇降溝と相通した短い滑り槽が設置され、前記短い滑り槽の左端壁にリミット槽が設置され、
絞り装置は左右に対称のように二つ設置され、右の前記絞り装置を例にして説明すれば、前記絞り装置はＬ字型ロッドを含め、前記Ｌ字型ロッドが前記Ｌ字型ロッド滑り槽とスライドできるように係合接続され、前記Ｌ字型ロッドの下端が前記絞り板と固定的に接続され、前記Ｌ字型ロッドの右端面に接続ロッドを設置し、前記接続ロッドの上端面にはプッシュブロック滑り槽が設置され、前記プッシュブロック滑り槽の中にはプッシュブロックがスライドできるように係合接続され、前記プッシュブロック滑り槽の右端壁壁に縄槽が設置され、前記縄槽の右端壁に固定ブロック滑り槽が設置され、前記固定ブロック滑り槽には固定ブロックがスライドできるように接続され、前記固定ブロックと前記プッシュブロックとの間にロープが接続され、前記転換槽の上端壁に梯形ブロック滑り溝を設置し、前記梯形ブロック滑り溝の中には梯形ブロックがスライドできるように設けられ、前記梯形ブロックと前記梯形ブロック滑り溝との間に梯形ブロックスプリングが接続され、前記梯形ブロックが前記プッシュブロックと当接でき、前記移動ブロック槽の中には移動ブロックがスライドできるように係合接続され、前記移動ブロックの左端面にスプリング槽を設置し、前記接続ロッドと前記スプリング槽とがスライドできるように接続され、前記接続ロッドと前記スプリング槽との間に長いスプリングが接続され、前記スプリング槽の右端壁に固定ブロックスロットが設置され、前記固定ブロックが前記固定ブロックスロットとスライドできるように接続され、前記移動ブロックの下端面にマットを設置し、前記Ｌ字型ロッドが下に移動し、これにより前記移動ブロックが下に運動し、前記気圧安定槽を封じ、前記Ｌ字型ロッドが下に運動を続け、この時前記貯料倉の中の気圧が定常であり、前記絞り板が下に運動してヘアカラーを前記貯料倉から押し出し、前記絞り板が一番底端まで運動して到着する時、前記固定ブロックが前記固定ブロックスロットの中に入って固定され、前記Ｌ字型ロッドと前記絞り板が上に運動する際に、前記気圧安定槽が開き、前記移動ブロックが最も上端まで運動して到着する時、前記梯形ブロックが前記プッシュブロックを左へ突き、これにより更に前記固定ブロックが前記固定ブロックスロットから離脱し、ヘアカラーを押し出す役割を果し、
前記調節装置は回転つまみを含め、前記回転つまみが前記瓶体の下端面とスライドできるように係合接続され、前記回転つまみの上端面に前記親ねじを設置し、前記親ねじが上に伸びており前記調節チャンバの中にに入り、前記親ねじが前記調節チャンバの下端壁及び前記瓶体の下端面と回転できるように係合接続され、前記親ねじの上端と前記調節ブロックとがねじ山によって係合接続され、前記回転つまみを回し、これにより前記親ねじによって前記調節ブロックの上下の高さを調節し、これにより前記通槽の開口の大きさを調節し、ヘアカラーの排出量を調節する役割を果し、
前記絞り装置は押圧ヘッドを含み、前記押圧ヘッドと前記Ｌ字型ロッドとが固定的に接続され、前記押圧ヘッドの中には下方に開口したヘアカラー排出チャンバを設置し、前記ヘアカラー排出チャンバの右端に排出ヘッドを設置し、前記ヘアカラー排出チャンバの左端にリミットブロックを設置し、前記リミットブロックと前記リミット槽とがスライドできるように接続され、前記リミットブロックと前記リミット槽との間にはリミットスプリングが接続され、前記ヘアカラー排出チャンバの上端壁には縦軸が回転できるように係合接続され、前記縦軸の上端に縦軸ギアを設置し、前記縦軸はの中端が前記螺旋器と固定的に接続され、前記縦軸の下端にはリターンスプリングリターンブロックが回転できるように係合接続され、前記リターンスプリングリターンブロックと前記昇降槽とがスライドできるように接続され、前記リターンスプリングリターンブロックと前記昇降槽との間にはリターンスプリングが接続され、前記調節チャンバ前後端壁にはラチェット軸が回転できるように係合接続され、前記ラチェット軸の後端にはラチェット回転盤が設置され、前記ラチェット回転盤に固定針が設置され、前記ラチェット回転盤の外円にラチェットギアが設置され、前記ラチェットギアが前記押圧ヘッドと噛合し、前記押圧ヘッドが下へ運動する場合、前記ラチェットギアによって前記ラチェット回転盤を駆動して回転させることができなく、逆であればできることであり、前記ラチェット軸の先端にラチェット軸傘歯車を設置し、前記調節チャンバの下端壁にストップブロックが設置され、前記調節チャンバの上端壁に支えブロックが設置され、前記支えブロックの中には接続軸が回転できるように接続され、前記接続軸の左端には前記ラチェット軸傘歯車と噛み合う回転傘歯車が設置され、前記接続軸歯の右端には接続傘歯車が設置され、前記調節チャンバの上端壁及び前記駆動チャンバの下端壁には大きなギア軸が回転できるように係合接続され、前記大きなギア軸には前記接続傘歯車と噛み合った駆動傘歯車を設置し、前記大きなギア軸の下端には前記縦軸ギアと噛み合った大きなギアを設置し、その作用は、前記リターンスプリングリターンブロックの下への移動によってヘアカラーを上に押し、前記螺旋器の回転を通じて、ヘアカラーを上昇させると同時に混ぜ合わせ、
使う時は、まず、前記回転つまみを回し、これにより前記親ねじを通じて前記調節ブロックの上下の高さを調節し、これにより左右の前記通槽の開口の大きさを調節し、そして前記押圧ヘッド下に押し、これにより前記Ｌ字型ロッドが下に移動し、これにより前記移動ブロックが下に運動して前記気圧安定槽を密封し、前記Ｌ字型ロッドが下に運動を続け、この時前記貯料倉の中の気圧が定常であり、前記絞り板が下に運動してヘアカラーを前記貯料倉から押し出し、前記絞り板が最も底端まで運動して到着するとき、前記固定ブロックが前記固定ブロックスロットの中で引っかかられ、前記Ｌ字型ロッドと前記絞り板が上に運動する時に前記気圧安定槽が開き、前記移動ブロックが最も上端に移動して到着する時に、跳ね返った前記梯形ブロックが前記プッシュブロックを左へ突き、これにより前記固定ブロックが前記固定ブロックスロットから離脱し、前記押圧ヘッドが下に移動すると前記リターンスプリングリターンブロックが最も下端に移動し、これによりヘアカラーが前記リターンスプリングリターンブロックの上端面に移動し、そして前記リターンスプリングリターンブロックと前記押圧ヘッドが上に運動すると、前記押圧ヘッドが前記ラチェットギアと、前記ラチェット回転盤と、前記ラチェット軸傘歯車と、前記ラチェット軸と、前記回転傘歯車と、前記接続軸と、前記駆動傘歯車と、前記大きなギア軸と、前記大きなギアと、前記縦軸ギアと前記螺旋器とを回転駆動させ、顔料を均一に撹拌し、そして前記排出ヘッドから押し出すことを特徴とする便利式の分け瓶。